(57)【要約】【課題】移動ケーブルの重量を減少するかご内防犯カメラ装置を得る。【解決手段】  映像信号伝送線１０は、導体１４ａ及び該導体１４ａを覆う絶縁体１４ｂを有し、一端と他端とを有する絶縁被覆線心１４と、該絶縁被覆線心１４と撚り合わされると共に、樹脂から成る樹脂線心１６と、撚り合わされた絶縁被覆線心１４及び樹脂線心１６を覆うと共に、一端と他端とを有する編組遮蔽線１２と、を有し、映像出力端子８の他端が編組遮蔽線１２の一端に接続されると共に、映像入力端子５１の他端が編組遮蔽線１２の他端に接続され、映像出力端子８の一端が絶縁被覆線心１４の一端に接続されると共に、映像入力端子５１の一端が絶縁被覆線心１４の他端に接続され、樹脂線心１６が未接続とされる。【選択図】  図２
2010275095.tif 000002
【特許請求の範囲】
【請求項１】
かごに設置されると共に、一端とグランドに接続される他端とを有する出力部を備えたカメラと、
昇降路内あるいは昇降路外に配設されると共に、前記カメラの映像信号を受信する一端とグランドに接続される他端とを有する入力部を備えた受信手段と、
前記カメラからの前記映像信号を移動ケーブルの映像信号伝送線を介して前記受信手段に伝送するエレベータのかご内防犯カメラ装置であって、
前記映像信号伝送線は、導体およびこの導体を覆う絶縁体を有すると共に、一端と他端とを有する絶縁被覆線心と、
この絶縁被覆線心と撚り合わされると共に、樹脂から成る樹脂線心と、
撚り合わされた前記絶縁被覆線心および前記樹脂線心を覆うと共に、一端と他端とを有する編組遮蔽線と、を有しており、前記出力部の他端が前記編組遮蔽線の一端に接続されると共に、前記入力部の他端が前記編組遮蔽線の他端に接続され、前記出力部の一端が前記絶縁被覆線心の一端に接続されると共に、前記入力部の一端が前記絶縁被覆線心の他端に接続され、
前記樹脂線心が未接続とされる、
ことを特徴とするエレベータのかご内防犯カメラ装置。
【発明の詳細な説明】
【技術分野】
【０００１】
本発明は、エレベータのかご内防犯カメラ装置に関するものである。
【背景技術】
【０００２】
従来のエレベータのかご内防犯カメラ装置は下記特許文献１に示すように、映像出力端子側のグラウンドが編組遮蔽線の一端に接続されるとともに、映像入力端子側のグラウンドが編組遮蔽線の他端に接続され、かつ映像出力端子が第１の絶縁被覆線心の一端に接続されるとともに、映像入力端子が第１の絶縁被覆線心の他端に接続され、また第２の絶縁被覆線心が未接続にされている。
かかるかご内防犯カメラ装置によれば、擬似的な同軸ケーブルが形成されインバータノイズ、すなわちコモンモードノイズが編組遮蔽線で遮蔽されて絶縁被覆線心へ誘導されることがなく良好なＳＮ比が得られる。したがって、屈曲性を有する撚り合せ構造の映像信号伝送線を用いるので、耐ノイズ性を確保したかご内防犯カメラ装置を実現することができる。
【先行技術文献】
【特許文献】
【０００３】
【特許文献１】特開２００４−１８９４６６号公報
【発明の概要】
【発明が解決しようとする課題】
【０００４】
しかしながら、上記特許文献１に記載のエレベータのかご内防犯カメラ装置は、移動ケーブルが第１及び第２の絶縁被覆線心を有しており、第２の絶縁被覆線心を未接続としている。このため、第２の絶縁被覆線心によって移動ケーブルの重量が増加すると共に、屈曲性能が若干低下するという課題があった。
【０００５】
本発明は、上記課題を解決するためになされたもので、優れた屈曲性を有する撚り合せ構造の移動ケーブルを映像信号伝送線として用いることにより、耐ノイズ性を確保しながら、移動ケーブルの重量を減少するエレベータのかご内防犯カメラ装置を得ることを課題としている。
【課題を解決するための手段】
【０００６】
本発明に係るエレベータのかご内防犯カメラ装置は、かごに設置されると共に、一端とグランドに接続される他端とを有する出力部を備えたカメラと、
昇降路内あるいは昇降路外に配設されると共に、前記カメラの映像信号を受信する一端とグランドに接続される他端とを有する入力部を備えた受信手段と、
前記カメラからの前記映像信号を移動ケーブルの映像信号伝送線を介して前記受信手段に伝送するエレベータのかご内防犯カメラ装置であって、
前記映像信号伝送線は、導体およびこの導体を覆う絶縁体を有すると共に、一端と他端とを有する絶縁被覆線心と、
この絶縁被覆線心と撚り合わされると共に、樹脂から成る樹脂線心と、
撚り合わされた前記絶縁被覆線心および前記樹脂線心を覆うと共に、一端と他端とを有する編組遮蔽線と、を有しており、前記出力部の他端が前記編組遮蔽線の一端に接続されると共に、前記入力部の他端が前記編組遮蔽線の他端に接続され、前記出力部の一端が前記絶縁被覆線心の一端に接続されると共に、前記入力部の一端が前記絶縁被覆線心の他端に接続され、
前記樹脂線心が未接続とされる、
ことを特徴とするものである。
【０００７】
本発明のエレベータのかご内防犯カメラ装置によれば、映像信号伝送線は、映像信号伝送線が絶縁被覆線心と、樹脂線心と、編組遮蔽線とから成っている。このため、絶縁被覆線心の一つが樹脂線心と成っているので、映像信号伝送線の重量を減少しながら、樹脂線心によって屈曲性をより向上しつつ、耐ノイズ性も向上できる。
【発明の効果】
【０００８】
本発明のエレベータのかご内防犯カメラ装置によれば、優れた屈曲性をもつ撚り合せ構造の伝送線を映像信号伝送線として用いて、しかも耐ノイズ性を確保しながら、映像信号伝送線の重量を減少できる。
【図面の簡単な説明】
【０００９】
【図１】本発明の一実施の形態を示すエレベータの全体図である。
【図２】本発明の一実施の形態による入力端子と移動ケーブルと出力端子との配線を示す構成図である。
【図３】図１及び図２に示す移動ケーブルの横断面図(ａ)、縦断面図(ｂ)である。
【発明を実施するための形態】
【００１０】
実施の形態１．
本発明の一実施の形態を図１から図３によって説明する。図１において、エレベータのかご内防犯カメラ装置は、かご５に設置され出力部としての映像出力端子８を有するカメラ７と、昇降路２上部の機械室９に配設されると共に、入力部としての映像入力端子５１を有する受信手段としてのモニター５０と、機械室９に設けられた制御盤３０とを備え、カメラ７から映像信号を複数の伝送線が併設された多心平型の移動ケーブルとしての映像信号伝送線１０を介してモニター５０に伝送するように形成されている。
なお、モニター５０は機械室９に設けたが、昇降路２内に設けても良い。
【００１１】
図２において、かご内防犯カメラ装置は、カメラ７の映像出力端子８を成す送信バッファ８ａに接続されたグラウンド８ｇが第１のコネクタ２０を介して移動ケーブル１０の編組遮蔽線１２の一端に接続されている。さらに、映像入力端子５１を成す受信バッファ５１ａに接続されたグラウンド５１ｂが第２のコネクタ２２を介して移動ケーブル１０の編組遮蔽線１２の他端に接続されている。そして、送信バッファ８ａが第１のコネクタ２０を介して移動ケーブル１０の絶縁被覆線心１４の一端に接続されると共に、受信バッファ５１ａが第２のコネクタ２２を介して絶縁被覆線心１４の他端に接続されており、樹脂線心１６が未接続とされている。
【００１２】
映像信号伝送線１０は、図３（ａ）に示すように、絶縁被覆線心１４と樹脂線心１６とを撚り合わせたツイストペアに近似しており、絶縁被覆線心１４及び樹脂線心１６を覆う編組遮蔽線１２と、編組遮蔽線１２の外周を覆う絶縁被覆１１とから成っている。
絶縁被覆線心１４は、図３（ｂ）に示すように、導体１４ａ、絶縁体１４ｂから成り、樹脂線心１６と撚り合わされており、樹脂線心１６は樹脂から成っている。
なお、絶縁体１４ｂは、高周波における誘電率の安定性を考慮すると、ポリエチレン又はポリ塩化ビニル（PVC）が好ましい。
【００１３】
上記のように構成されたかご内防犯カメラ装置は、かご５に設置されると共に、一端とグランド８ｂに接続される他端とを有する映像出力端子８を備えたカメラ7と、昇降路２外に配設されると共に、カメラ７の映像信号を受信する一端とグランドに接続される他端とを有する映像入力端子５１を備えたモニター５０と、カメラ７からの映像信号が映像信号伝送線１０を介してモニター５０に伝送するエレベータのかご内防犯カメラ装置であって、映像信号伝送線１０は、導体１４ａおよびこの導体１４ａを覆う絶縁体１４ｂを有すると共に、一端と他端とを有する絶縁被覆線心１４と、この絶縁被覆線心１４と撚り合わされると共に、樹脂から成る樹脂線心１６と、撚り合わされた絶縁被覆線心１４および樹脂線心１６を覆うと共に、一端と他端とを有する編組遮蔽線１２と、を有しており、映像出力端子８の他端が編組遮蔽線１２の一端に接続されると共に、映像入力端子５１の他端が編組遮蔽線１２の他端に接続され、映像出力端子８の一端が絶縁被覆線心１４の一端に接続されると共に、映像入力端子５１の一端が絶縁被覆線心１４の他端に接続され、樹脂線心１６が未接続とされる、ものである。
【００１４】
このように形成された映像信号伝送線１０では、擬似的な同軸ケーブルが形成されるので、インバータノイズ、すなわちコモンモードノイズが編組遮蔽線１２で遮蔽されて絶縁被覆線心１４へ誘導されることがなく、良好なＳＮ比が得られる。しかも、絶縁被覆線心１４と樹脂線心１６とが撚り合わされているので、優れた屈曲性をもつ撚り合せ構造の映像信号伝送線１０を得ることができると共に、映像信号伝送線１０の重量を減少できる。
【符号の説明】
【００１５】
２  昇降路、５  乗りかご、７  カメラ、８  映像出力端子、１０  映像信号伝送線（移動ケーブル）、１２  編組遮蔽線、１４  絶縁被覆線心、１６  樹脂線心、５０  モニター(受信手段)、５１  映像入力端子。
【図１】
2010275095.tif 000003
【図２】
2010275095.tif 000004
【図３】
2010275095.tif 000005